【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記缶体部内に貯留する金属溶湯の容量を減少させるように該缶体部の上方部分を塞ぐ閉塞部を設けた金属溶湯濾過装置。
【請求項２】
前記濾過チューブは、該前記濾過チューブの長手方向が水平面に対して略直交する方向を向くように配置されている請求項１に記載の金属溶湯濾過装置。
【請求項３】
前記濾過チューブは、該濾過チューブの長手方向が、支持板の板面に対して略直交するように、該濾過チューブの少なくとも一方の端部において該支持板に取り付けられており、それによって濾過ユニットが形成されており、
前記濾過ユニットは、前記支持板の板面が水平面と略一致するように、前記缶体部内に配置されている請求項２に記載の金属溶湯濾過装置。
【請求項４】
前記濾過ユニットにおいては、前記濾過チューブが、該濾過チューブの一方の端部において、前記支持板に取り付けられており、
前記濾過チューブが前記支持板から下方に向けて垂下するように、前記濾過ユニットが、前記缶体部内に懸下されている請求項３に記載の金属溶湯濾過装置。
【請求項５】
前記濾過ユニットにおいては、前記支持板の側面が、該支持板の上面から下面に向けて内向きに傾斜したテーパー面からなり、
前記缶体部において、前記濾過ユニットを懸下する部位が、前記支持板の側面のテーパー面と相補形状になっているテーパー面からなる請求項４に記載の金属溶湯濾過装置。
【請求項６】
前記濾過ユニットにおいては、前記濾過チューブが、該濾過チューブの双方の端部において、一対の前記支持板に取り付けられており、
前記缶体部の底部に設けられた載置部に、一方の前記支持板が当接するように、前記濾過ユニットが該載置部上に載置されている請求項３に記載の金属溶湯濾過装置。
【請求項７】
前記濾過チューブの下端部と、前記缶体部の底部との間に、ヒーターが配置されている請求項１ないし６のいずれか一項に記載の金属溶湯濾過装置。
【請求項８】
前記缶体部の下部から上部に向けて熱風が流通するように構成されている請求項１ないし６のいずれか一項に記載の金属溶湯濾過装置。
【請求項９】
前記閉塞部の下端面が、入湯口の底面よりも下方に位置する請求項１ないし８のいずれか一項に記載の金属溶湯濾過装置。
【請求項１０】
前記閉塞部を、前記缶体部を覆う上蓋と一体的に形成した請求項１ないし９のいずれか一項に記載の金属溶湯濾過装置。
【請求項１１】
一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記濾過チューブは、該濾過チューブの長手方向が、支持板の板面に対して略直交するように、該濾過チューブの少なくとも一方の端部において該支持板に取り付けられており、それによって濾過ユニットが形成されており、
前記濾過ユニットは、前記支持板の板面が水平面と略一致するように、前記缶体部内に配置されており、
前記濾過ユニットにおいては、前記濾過チューブが、該濾過チューブの一方の端部において、前記支持板に取り付けられており、
前記濾過チューブが前記支持板から下方に向けて垂下するように、前記濾過ユニットが、前記缶体部内に懸下されており、
懸下状態の前記濾過ユニットにおいては、該濾過ユニットにおける前記支持板の上面に、金属溶湯の濾過を開始するときに浮力によって該濾過ユニットが浮き上がらないようにするための錘が載置されている、金属溶湯濾過装置。
【請求項１２】
一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記濾過チューブは、該濾過チューブの長手方向が、支持板の板面に対して略直交するように、該濾過チューブの双方の端部において一対の該支持板に取り付けられており、それによって濾過ユニットが形成されており、
前記缶体部の底部に設けられた載置部に、一方の前記支持板が当接するように、前記濾過ユニットが該載置部上に載置されており、
前記濾過ユニットにおける上方側に位置する前記支持板に、鉛直方向に延びる押圧部材が当接しており、
前記押圧部材は下方に向けて付勢されており、それによって前記濾過ユニットが該押圧部材によって下方に向けて押し付けられる構造になっている、金属溶湯濾過装置。
【請求項１３】
請求項１ないし１２のいずれか一項に記載の金属溶湯濾過装置を用い、金属の溶湯中に存在する介在物を除去する金属溶湯の濾過方法。
【手続補正２】
【補正対象書類名】明細書
【補正対象項目名】０００７
【補正方法】変更
【補正の内容】
【０００７】
本発明は、一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記缶体部内に貯留する金属溶湯の容量を減少させるように該缶体部の上方部分を塞ぐ閉塞部を設けた金属溶湯濾過装置を提供するものである。
また本発明は、一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記濾過チューブは、該濾過チューブの長手方向が、支持板の板面に対して略直交するように、該濾過チューブの少なくとも一方の端部において該支持板に取り付けられており、それによって濾過ユニットが形成されており、
前記濾過ユニットは、前記支持板の板面が水平面と略一致するように、前記缶体部内に配置されており、
前記濾過ユニットにおいては、前記濾過チューブが、該濾過チューブの一方の端部において、前記支持板に取り付けられており、
前記濾過チューブが前記支持板から下方に向けて垂下するように、前記濾過ユニットが、前記缶体部内に懸下されており、
懸下状態の前記濾過ユニットにおいては、該濾過ユニットにおける前記支持板の上面に、金属溶湯の濾過を開始するときに浮力によって該濾過ユニットが浮き上がらないようにするための錘が載置されている、金属溶湯濾過装置を提供するものである。
更に本発明は、一端に開口部を有し、かつ他端が閉じている１本又は複数本の多孔質セラミックス製濾過チューブを、その長手方向が、水平面に対して交差する方向を向くように、金属溶湯を貯留する缶体部内に配した金属溶湯濾過装置であって、
前記濾過チューブは、該濾過チューブの長手方向が、支持板の板面に対して略直交するように、該濾過チューブの双方の端部において一対の該支持板に取り付けられており、それによって濾過ユニットが形成されており、
前記缶体部の底部に設けられた載置部に、一方の前記支持板が当接するように、前記濾過ユニットが該載置部上に載置されており、
前記濾過ユニットにおける上方側に位置する前記支持板に、鉛直方向に延びる押圧部材が当接しており、
前記押圧部材は下方に向けて付勢されており、それによって前記濾過ユニットが該押圧部材によって下方に向けて押し付けられる構造になっている、金属溶湯濾過装置を提供するものである。